(57)【要約】      （修正有）【課題】一動作でフロアマット用原反の裁断とほつれ止め、意匠性に富む外観の形成を行うことができ、従来の製造方法において行われていたフロアマットの裁断、裁断後端末処理を一変させ、きわめて簡易で高度の熟練を必要とせず、かつ高効率であり、製造コストを大幅に低減化することができるフロアマット及びその製造方法を提供する。【解決手段】溶断刃とこれに連なる押型部を設けた刃体を用い、フロアマット用原反１１を所定形状に溶断すると同時に溶断部１２上面に型押加工１３を施す。【選択図】図１
2015085877.tif 000002
【特許請求の範囲】
【請求項１】
溶断刃とこれに連なる押型部を設けた刃体を用いてフロアマット用原反が所定形状に溶断されると同時に溶断部上面に型押加工が施されてなることを特徴とする自動車用フロアマット。
【請求項２】
溶断部上面に会社名、商品名、ロゴ及び模様から選ばれる少なくとも１が型押加工されていることを特徴とする請求項１に記載の自動車用フロアマット。
【請求項３】
フロアマット用原反を準備する工程と、
前記フロアマット用原反を所定形状に裁断し、前記裁断された原反端末を処理する工程とを備えており、
前記フロアマット用原反を所定形状に裁断し、原反端末を処理する工程が、溶断刃とこれに連なる押型部を設けた刃体を用いて前記フロアマット用原反を所定形状に溶断すると同時に溶断部上面に型押加工を施すことを特徴とする自動車用フロアマットの製造方法。
【請求項４】
押型加工が、溶断部上面に会社名、商品名、ロゴ及び模様から選ばれる少なくとも１を型押し加工することを特徴とする請求項３に記載の自動車用フロアマットの製造方法。
【発明の詳細な説明】
【技術分野】
【０００１】
本発明は、所定形状に裁断した後の端末処理を不要としたフロアマット及びその製造方法に関する。
【背景技術】
【０００２】
従来より、自動車用フロアマットは、所定密度でパイルが打ち込まれた原反を裏打ちした後、所定形状に裁断することで製造されている。しかし、この裁断物をそのままフロアマットとして用いたのでは、裁断面が露出しているため、外観が悪くほつれ易い等の問題があった。このため、従来から、裁断後、フロアマットの端末部分からの糸のほつれを防ぐと共に端末部分の意匠性を高める為にかがり糸でかがり縫うという作業が施されていた。
【０００３】
ところが、裁断後の端末部分のかがり縫い作業は、作業者がフロアマットの複雑なＲ形状を含む端末部分を作業者がミシンでフロアマットを回しながらかがり縫うというまったくの手作業で行われていた。このため、多くの労力と時間を必要とし、さらにかがり縫いは原反のパイル糸の打ち込み間隔に対応させて行う必要もあるため、その作業には高度の熟練を必要としていた。
【０００４】
そこで、このような多くの労力と時間を必要とし、さらに高度の熟練を要するかがり縫い作業を不要とすることができるフロアマットの端末処理方法が提案されている（特許文献１参照）。
【先行技術文献】
【特許文献】
【０００５】
【特許文献１】特開平０９−２３８８１６号公報
【発明の概要】
【発明が解決しようとする課題】
【０００６】
特許文献１に記載されたフロアマットの端末処理方法は、図４に示すように、布、ゴム、軟質プラスチック等からなる縁取り用モールや軟質プラスチックフィルムからなるテープ３を用い、これらモールやテープ２でフロアマット３でフロアマット用原反１の裁断部分２を包み込み、これをミシンによって縫製することで行われていた。
【０００７】
しかし、特許文献１において示されたモールやテープを用いる端末処理方法においても、フロアマット用原反１を裁断後、その裁断部分２をモールやテープ３で包み込んで縫製するという作業が必要であり、特に自動車用フロアマットの場合は複雑なＲ形状を含んでいることから、その端末部分をフロアマットを回しながら縫製することは容易ではなく、さらなる作業の簡略化、効率化が求められていた。
【０００８】
本発明は、このような事情に鑑みなされたものであり、所定形状に裁断した後の端末処理を不要としたフロアマット及びその製造方法を提供することを目的とするものである。
【課題を解決するための手段】
【０００９】
上記目的を達成するため、請求項１記載の発明は、溶断刃とこれに連なる押型部を設けた刃体を用いてフロアマット用原反が所定形状に溶断されると同時に溶断部上面に型押加工が施されてなることを特徴とするフロアマットをその要旨とした。
【００１０】
請求項２記載の発明は、溶断部上面に会社名、商品名、ロゴ及び模様から選ばれる少なくとも１が型押加工されていることを特徴とする請求項１に記載のフロアマットをその要旨とした。
【００１１】
請求項３記載の発明は、フロアマット用原反を準備する工程と、
前記フロアマット用原反を所定形状に裁断し、前記裁断された原反端末を処理する工程とを備えており、
前記フロアマット用原反を所定形状に裁断し、原反端末を処理する工程が、溶断刃とこれに連なる押型部を設けた刃体を用いて前記フロアマット用原反を所定形状に溶断すると同時に溶断部上面に型押加工を施すことを特徴とするフロアマットの製造方法をその要旨とした。
【００１２】
請求項４記載の発明は、押型加工が、溶断部上面に会社名、商品名、ロゴ及び模様から選ばれる少なくとも１を型押し加工することを特徴とする請求項３に記載のフロアマットの製造方法をその要旨とした。
【発明の効果】
【００１３】
本発明は、溶断刃とこれに連なる押型部を設けた刃体を用い、フロアマット用原反を所定形状に溶断すると同時に溶断部上面に型押加工を施すことで得られるフロアマット及びその製造方法であり、一動作でフロアマット用原反の裁断とほつれ止め、意匠性に富む外観の形成を行うことができ、従来の製造方法において行われていたフロアマットの裁断、裁断後端末処理を一変させ、きわめて簡易で高度の熟練を必要とせず、かつ高効率であり、製造コストを大幅に低減化することができる。
【図面の簡単な説明】
【００１４】
【図１】本発明の自動車用フロアマットを示す平面図。
【図２】同じく要部拡大断面図。
【図３】溶断刃とこれに連なる押型部を設けた刃体を用いてフロアマット原反の溶断と溶断部上面への型押加工を同時に行っている状態を示す要部拡大断面図。
【図４】従来のフロアマットの裁断後の端末処理を示す要部拡大断面図。
【発明を実施するための最良の形態】
【００１５】
以下、本発明のフロアマット及びその製造方法について詳しく説明する。図１及び図２は、自動車用フロアマットを例示したものであり、このフロアマットは、フロアマット用原反１１が所定形状に溶断されると同時に溶断部上面に型押加工が施されている。
【００１６】
図１及び図２に示すフロアマットに用いられているフロアマット用原反１１としては、ウィルトンカーペット、タフテッドカーペット、ニードルパンチカーペット、段通など様々な形態を採ることができる。図１及び図２に示すフロアマット用原反１１は、不織布、紙、布、フェルトあるいはこれらの複合物からなる繊維シートにパイル糸を所定のボリュームで略U字状となるように打ち込んだものである。尚、フロアマット用原反１１は、ニードルパンチカーペットのように、パイル糸を打ち込まない繊維シートのみからなるものであっても良い。
【００１７】
図１及び図２に示す例では、パイル糸の抜け止めとフロアマットの形態安定性向上のためにフロアマット用原反１１の裏面側にはバッキングが施されている。バッキングは、不織布バッキングや樹脂バッキングを用いることができる。
【００１８】
乗用車用のフロアマットの場合、フロアマット用原反は、フロント側の運転席側と助手席側、後部座席側の左右並びに中央の５種のピースに裁断される。また、各ピースは自動車床面の形状に対応する複数のＲ形状を持つ複雑な形状に裁断される。
【００１９】
フロアマット用原反１１の裁断は、図３に示す溶断刃１４ａとこれに連なる押型部１４ｂを設けた刃体１４を用いて行われる。この刃体１４は、裁断すべきフロアマットの各ピースの外郭形状に対応する形状を持ち、その外側に溶断刃１４ａが配され、その内側に溶断刃１４ａに連なって押型部１４ｂが設けられている。刃体１４の溶断の形式として超音波振動を用いたものや高周波を用いたものなど任意である。
【００２０】
この刃体１４の溶断刃１４ａを図３中矢で示すようにフロアマット用原反に押し当て超音波や高周波を付加することで原反を溶断するのである。このとき、刃体１４の溶断刃１４ａに連なって設けられた押型部１４ｂも同時に溶断部分上面に押し当てられることになり、押型部１４ｂに設けられた押型形状が溶断部分上面に転写されるようになっている。
【００２１】
押型部１４ｂの押型としては特に限定されないが、例えば会社名、商品名、ロゴ及び模様から選ばれる少なくとも１を挙げることができる。
【００２２】
尚、図１及び図２に示すフロアマットの場合、該マットの滑りを防止する自動車床面のフックに嵌まり込むハトメ部１５には、図１に示すようにそのハトメ部１５の周囲及びメタルネームの部分に跨がる区域に補強部１７が設けられている。この補強部１７は、ハトメ部１５の抜けを防止するものであり、ホットメルト樹脂からなるもの、メルトファイバーからなるもの、不織布、布、紙、ネット、これらの複合体からなる補強シートなどを挙げることができる。尚、図示の例では、フロアマット用原反裏面のバッキング側に配されている。
【００２３】
尚、本発明のフロアマットは、自動車用フロアマットに限らず、例えばファーストカーペットや天井材、トリムなどに適用することができ、その他に住宅用のカーペットやマットにも用いるなど、特許請求の範囲に記載された範囲で自由に変更することができる。
【符号の説明】
【００２４】
１１・・・フロアマット用原反
１２・・・溶断部分
１３・・・ロゴ
１４・・・刃体
【図２】
2015085877.tif 000003
【図３】
2015085877.tif 000004
【図１】
2015085877.tif 000005
【図４】
2015085877.tif 000006